【事件の表示】
　平成１０年特許願第２４０５８号「金属製屋根板材」拒絶査定に対する審判事件［平成１１年８月３日出願公開、特開平１１−２１０１７７］について、次のとおり審決する。
【結　論】
　本件審判の請求は、成り立たない。
【理　由】
１．手続の経緯
　本願は、平成１０年１月２２日の出願であって、平成１４年７月３０日付けで拒絶査定がなされ、これに対し、同年９月３日に拒絶査定に対する審判請求がなされるとともに、明細書について同年９月２７日付けで補正がなされたものである。
　
２．補正の適否に対する判断
　上記平成１４年９月２７日付け補正は、特許請求の範囲について、補正前の請求項１を削除し、補正前の請求項２を請求項１とし、補正前の請求項３を請求項２としたものであり、特許法第１７条の２第４項第１号に規定の請求項の削除を目的とするものに該当するから、適法なものと認める。
　
３．本願の請求項１及び２に係る発明についての判断
（１）本願の請求項１及び２に係る発明
　本願の特許請求の範囲の請求項１及び２に係る発明は、上記平成１４年９月２７日付け手続補正書により補正された明細書及び図面の記載からみて、その特許請求の範囲の請求項１及び２に記載された事項により特定される以下のとおりのものである。
「【請求項１】向き合った一対の側部の一方に嵌め合い雄部を、他方に嵌め合い雌部を有する屋根板材であり、隣り合わされる屋根板材の一方の嵌め合い雄部を前記嵌め合い雌部に嵌め入れ、隣り合わされる屋根板材の他方の嵌め合い雌部に前記嵌め合い雄部を嵌め入れて、屋根を構成させる屋根板材であって、
　前記嵌め合い雄部は、前記屋根板材の上方に突き出すように形成されて、この屋根板材の上面に向き合った顎部を有する頭部を備えていると共に、
　前記嵌め合い雌部は、前記屋根板材の上方に突き出すように折り曲げ形成されて、この屋根板材の下面側から前記嵌め合い雄部の頭部を収め入れる受け入れ溝部を備えており、
　この受け入れ溝部は、前記嵌め合い雄部の頭部を当該嵌め合い雌部の溝口を撓み広げながら受け入れ、かつ、受け入れられた当該嵌め合い雄部における前記顎部に、前記溝口側の撓み戻しにより接合される段部を備えており、
　前記嵌め合い雄部の頭部と前記嵌め合い雌部の受け入れ溝部とが、当該受け入れ溝部に受け入れられた当該頭部の外面と当該受け入れ溝部の内面との間に、少なくとも当該頭部の先端部側において毛細管現象による雨水の侵入を生じさせない大きさの隙間を形成させる構成としてあり、
　しかも、前記嵌め合い雌部の受け入れ溝部における段部から溝底部までの寸法が、この受け入れ溝部に受け入れられる嵌め合い雄部の頭部の先端部と顎部までの寸法よりも大きく構成してあり、当該受け入れ溝部に受け入れられた嵌め合い雄部の頭部の先端部と当該受け入れ溝部の溝底部との間に、シール材の装填隙間が形成される構成としてあることを特徴とする金属製屋根板材。
　【請求項２】嵌め合い雄部が設けられている側の屋根板材の側端と当該嵌め合い雄部との間に、クギ等の止具による止着部が形成してあることを特徴とする請求項１記載の金属製屋根板材。」
　
（２）引用文献
　これに対して、原査定の拒絶の理由に引用され、本願出願前に頒布された刊行物である特開平９−１８４２５１号公報（以下、「引用文献１」という。）には、つぎの記載がある。
　「【００１４】図面中、１は屋根板本体２の一方の側縁部に第一係合片３がまた他方の側縁部に次に固定される屋根板の第一係合片３の外面に係合される第二係合片４がそれぞれ全長に亘って形成されており長手方向に湾曲せしめられて成る長尺状の本発明に係るアーチ型屋根用屋根板（以下、単に屋根板１と言うことがある）である。
【００１５】この屋根板本体２の一方の側縁部に形成されている第一係合片３は、屋根板本体２に近接した高さ位置に屋根板本体２の中央側に凸を成す本体側凸条部3aと、この本体側凸条部3aから上方に屈曲された後に裏面側に屈曲された略逆Ｕ字状を成す略逆Ｕ字状部3bと、この略逆Ｕ字状部3bの端縁側で屋根板本体２と反対側に凸を成す端縁側凸条部3cと、この端縁側凸条部3cの端縁側で屋根板本体２と同一高さで延設されていて屋根下地材５に固定される固定部3dとが形成されている。そして、前記略逆Ｕ字状部3bの頂部には、溝条部3eが全長に亘って形成されていることが好ましい。
【００１６】前記第一係合片３の本体側凸条部3aの外面には連結相手側の屋根板１の後述する第二係合片４の端縁側凸条部4cを係合せしめられるので、この端縁側凸条部4cの端縁が屋根板本体２との間に位置して本体側凸条部3aとの係合が確実に行われるように、この本体側凸条部3aは屋根板本体２に近接した所定の高さ位置に形成されている。そして屋根板本体２から本体側凸条部3aまでの部分は、直角に折曲されたフラットな面ではなく図示した実施例の如く滑らかな曲面を成している。
【００１７】また第一係合片３の端縁側凸条部3cは連結相手側の屋根板１の後述する第二係合片４の本体側凸条部4aの裏面に当接して係止される部分となるので、第二係合片４の本体側凸条部4aを形成されている位置に対応する高さに形成されている。
【００１８】屋根板本体２の他方の側縁部に形成されている第二係合片４は、屋根板本体２に近接した高さ位置（前記第一係合片３の本体側凸条部3cとほぼ同じ高さ位置）に屋根板本体２の中央側に凸を成す本体側凸条部4aと、この本体側凸条部4aから上方に屈曲された後に裏面側に屈曲された略逆Ｕ字状を成す略逆Ｕ字状部4bと、この略逆Ｕ字状部4bから屋根板本体２と反対側に凸を成す端縁側凸条部4cとが形成されている。
【００１９】この第二係合片４の本体側凸条部4aは、連結相手側の屋根板１の第一係合片３の端縁側凸条部3cをその裏面に当接させて係止せしめる部分であって、第一係合片３の端縁側凸条部3cを形成されている位置に対応する高さに形成されている。そして、屋根板本体２から本体側凸条部4aまでの部分は、直角に折曲されたフラットな面ではなく図示した実施例の如く滑らかな曲面を成している。
【００２０】第二係合片４の端縁側凸条部4cは、連結相手側の屋根板１の第一係合片３の本体側凸条部3aをその裏面に当接させて係合せしめられる部分であって、第一係合片３の本体側凸条部3aを形成されている位置に対応する高さに形成されている。そしてこの端縁側凸条部4cの更に端縁側には、第一係合片３の本体側凸条部3aに第二係合片４の端縁側凸条部4cを係合させた際にその係合がより強固になると共にその係合作業が容易となり、しかも第一係合片３に第二係合片４を係合させた状態において側方から見て第二係合片４の端縁が見え難くなって意匠効果をより優れたものとすると共に雨仕舞も良くするため、第一係合片３の本体側凸条部3aと屋根板本体２との間の部分に当接される舌片4caが形成されていることが好ましい。
【００２１】また、屋根板本体２の第二係合片４が形成される基端側に、連結相手側の屋根板１に形成されており屋根下地材５に固定される第一係合片３の固定部3dを屋根下地材５との間に収納できる空間を形成する段部2aが形成されていると共に、屋根板本体２の第一係合片３が形成される基端側にも前記段部2aに対応する形状の段部2bが形成されていると、第一係合片３の固定部3dを屋根下地材５に固定することによって屋根板本体２の第二係合片４が形成される基端側に変形が生じることがなくしかも第一係合片３に第二係合片４が係合した状態でその両側の屋根板本体２の部分が同形状をなして意匠効果がより優れたものとなるので好ましい。」
　「【００２６】このように形成された本発明に係るアーチ型屋根用屋根板１を屋根下地材５に固定するには、図１に示すように先に固定される屋根板１の第一係合片３の固定部3dに、風圧等の屋根板１に作用する荷重を考慮して長手方向に所定の間隔を隔てて釘やビスやタッピンビス等を打ち込んで、先に固定される屋根板１を屋根下地材５に固定する。
【００２７】次いで、次に固定される屋根板１の第二係合片４を、先に固定された屋根板１の第一係合片３に上方より押し付けて、第二係合片４の本体側凸条部4aと端縁側凸条部4cとこの端縁側凸条部4cの更に端縁側に舌片4caが形成されている場合にはこの舌片4caの各裏面が、それぞれ第一係合片３の端縁側凸条部3cと本体側凸条部3aと更には本体側凸条部3aと屋根板本体２との間の部分の各外面に当接するように、第二係合片４のばね作用によって第一係合片３に係合させる。
【００２８】このような作業を施工すべきアーチ型屋根の全面に亘って屋根板１の幅方向に順次繰返し行うことにより、アーチ型屋根を葺くことができるのである。」
　「【００３１】また、このような構造のアーチ型屋根用屋根板において……更に屋根板本体の第一及び第二係合片が形成される基端側に屋根下地材に固定される連結相手側のアーチ型屋根用屋根板の第一係合片の固定部を屋根下地材との間に収納できる空間を形成する段部が形成されていて且つ第一係合片が形成される基端側にもこの段部に対応する形状の段部が形成されていれば、第一係合片の固定部を屋根下地材に固定することによって屋根板本体の第二係合片が形成される基端側に変形が生じることがなくしかも両者の係合片が係合した状態でその両側の屋根板本体の部分が同形状をなして意匠効果がより優れたものとなるのである。
【００３２】更に、第一係合片の略逆Ｕ字状部の頂部に溝状部が形成されていると、連結されているアーチ型屋根用屋根板の第一係合片と第二係合片との間に毛細管現象により侵入してくる雨水の屋根下地材側への浸入を防止することができ、雨仕舞の更に良好なアーチ型屋根を葺くことができる。」
　そして、図１及び３には、
　「第一係合片３は、屋根板１の上方に突き出すように形成されて、この屋根板１の上面に向き合った凸条部3a、3cと略逆Ｕ字状部3bとを有する頭部を構成し、第二係合片４は、屋根板１の上方に突き出すように折り曲げ形成された凸条部4a、4cと略逆Ｕ字状部4bとの内面により、屋根板１の下面側から前記第一係合片３の頭部を収め入れる溝口を有する受け入れ溝部を構成し、当該受け入れ溝部に受け入れられた第一係合片３の略逆Ｕ字状部3bの外面と当該受け入れ溝部の第二係合片４の略逆Ｕ字状部4bの内面との間に、隙間が形成され、しかも、第二係合片４の受け入れ溝部における凸条部4a又は4cから略逆Ｕ字状部4bの頂部内面までの寸法が、第一係合片３の略逆Ｕ字状部3bの頂部と凸条部3a又は3cまでの寸法よりも大きく構成してあり、当該受け入れ溝部に受け入れられた第一係合片３の略逆Ｕ字状部3bの頂部の溝状部3eと当該受け入れ溝部の第二係合片４の略逆Ｕ字状部4bの頂部内面との間に、隙間が形成され、さらに、第一係合片３が設けられている側の屋根板１の側端と当該第一係合片３との間に、固定部3dが形成された構造。」が記載されていることが当業者に明らかな事項である。
　以上の記載からみて、引用文献１には、次の発明が記載されていると認められる。
「屋根板本体２の向き合った一方の側縁部に第一係合片３を、他方の側縁部に第二係合片４を有する屋根板１であり、隣り合わされる屋根板１の一方の第一係合片３を前記第二係合片４に嵌め入れ、隣り合わされる屋根板１の他方の第二係合片４に前記第一係合片３を嵌め入れて、屋根を構成させる屋根板１であって、前記第一係合片３は、前記屋根板１の上方に突き出すように形成されて、この屋根板１の上面に向き合った凸条部3a、3cと略逆Ｕ字状部3bとを有する頭部を構成すると共に、前記第二係合片４は、前記屋根板１の上方に突き出すように折り曲げ形成された凸条部4a、4cと略逆Ｕ字状部4bとの内面により、屋根板１の下面側から前記第一係合片３の頭部を収め入れる受け入れ溝部を構成し、この受け入れ溝部は、前記第一係合片３の頭部を当該第二係合片４の溝口を撓み広げながら受け入れ、かつ、受け入れられた当該第一係合片３における前記凸条部3a、3cに、前記溝口側のばね作用により接合される凸条部4a、4cを備えており、前記第一係合片３の略逆Ｕ字状部3bの外面と当該受け入れ溝部の第二係合片４の略逆Ｕ字状部4bの内面との間に、隙間が形成され、しかも、前記第二係合片４の受け入れ溝部における凸条部4a又は4cから略逆Ｕ字状部4bの頂部内面までの寸法が、第一係合片３の略逆Ｕ字状部3bの頂部と凸条部3a又は3cまでの寸法よりも大きく構成してあり、当該受け入れ溝部に受け入れられた第一係合片３の略逆Ｕ字状部3bの頂部の溝状部3eと当該受け入れ溝部の第二係合片４の略逆Ｕ字状部4bの頂部内面との間に、隙間が形成され、さらに、第一係合片３が設けられている側の屋根板１の側端と当該第一係合片３との間に、クギ等の止具による固定部3dを形成してなる金属製屋根板。」
　
　同じく、特開平６−２０７４４７号公報（以下、「引用文献２」という。）には、次の記載がある。
　「【０００１】
【産業上の利用分野】本発明は縦葺き屋根構造に関し、ハゼ部に毛細管現象による雨水の浸入がなく、嵌合式で作業性良好であると共に、被嵌強度が優れていて構造強固であり、ハゼ部の小形化も可能なものである。」
　「【００１７】
【実施例】図１乃至図３には本発明の縦葺き屋根構造の第１実施例を例示しており、下地１に敷設されて左右に並列している長尺の各縦葺き屋根板２は、左側の屋根板２における屋根面部３右側縁部の被嵌合部４に右側の屋根板２における屋根面部３左側縁部の嵌合部５を被嵌して接続していて、この接続部分を吊子６で下地１に固定している。
【００１８】被嵌合部４は、屋根面部３の右側縁部から斜め外側上方に立ち上げた立ち上げ部７と、立ち上げ部７先端から内側斜め下向きに折り返した被係止部８と、被係止部８先端から外側斜め上向きに立ち上げて内側に折り返した屈曲部９とを形成すると共に、立ち上げ部７と被係止部８との間の空間を係止溝部10とする一方で、係止溝部10外側の被係止部８上側を被係合部11としている。
【００１９】そして、係止溝部10内における被係止部８には嵌合部５の後で説明する係止部13が弾性・係止し、且つ、被係合部11には吊子６の後で説明する係合部16が係合している。
【００２０】嵌合部５は、屋根面部３の左側縁部から外側に立ち上げた断面略縦長菱形状のカバー部12と、カバ一部12先端から内側斜め上向きに立ち上げて外側に折り返した係止部13とを形成しており、カバー部12は被嵌合部４に被嵌して、立ち上げ部７と被係止部８と屈曲部９を覆い、係止部13は係止溝部10内で被係止部８に弾性・係止して、カバ一部12を前記被嵌状態に保持している。
【００２１】そして、係止溝部10における立ち上げ部７と係止部13との間および係止部13とカバー部12部分との間には空間部ａを、屈曲部９とカバー部12との間には第２の空間部ｂを、それぞれ形成してあり、この両空間部ａ，ｂは少なくとも毛細管現象が発生するようなことのない間隔を有している。また、第２の空間部ｂにはシール材17が介在していて、この第２の空間部ｂは閉塞されている。
【００２２】吊子６は固定部14から立上がり部15を形成すると共に、立上がり部15先端を斜め外側下向きに延ばして係合部16を形成しており、固定部14は下地１にビス18で固定され、立上がり部15は被嵌合部４の立ち上げ部７外側面に沿接して、係合部16は被係合部11に係合している。」
　「【００２４】下地１に屋根板２を軒棟方向に敷き、左側の屋根板２の被嵌合部４における被係合部11に吊子６の係合部16を係合させて、同被嵌合部４を吊子６で下地１に固定する。
【００２５】次に、この固定済みの被嵌合部４に向けて右側の屋根板２の嵌合部５を上から押し下げる。係止部13は屈曲部９に導かれて被係止部８先端を乗り越えた後、係止溝部10内へ弾性複動して被係止部８に弾性的に係止する。と同時に、カバー部12は立ち上げ部７と被係止部８と屈曲部９を覆い且つ第１の空間部ａおよび第２空間部ｂを形成する。こうして、左側の屋根板２の被嵌合部４に対して右側の屋根板２の嵌合部５を被嵌状態に固定する。
【００２６】以上の工程を繰り返して、屋根板２を右方向に接続しながら敷設・固定して葺く。尚、シール材17はあらかじめカバー部12内面に沿着しておいた方が施工上有利である。
【００２７】これにより、左右に隣接する縦葺き屋根板２の被嵌合部４に嵌合部５を被嵌して、被係止部８と係止部13を係止溝部10内で弾性・係止させると共に、この係止溝部10における立ち上げ部７と係止部13との間および係止部13とカバー部12部分との間にそれぞれ第１の空間部ａを形成してあるため、雨水の浸入口である立ち上げ部７と係止部13との間、そして係止部13とカバ一部12部分との間には空間部ａの存在によって隙間ができず、毛細管現象による雨水の浸入を防ぐことができる。
【００２８】さらに、被嵌合部４の被係止部８先端を立ち上げて内側に折り返して屈曲部９を形成し、この屈曲部９とカバ一部12との間に第２の空間部ｂを形成してあるため、下位の内外の第１空間部ａと上位の第２空間部ｂとによる複数の毛細管阻止空間を確保して、雨仕舞機能を向上することができる。また、第２の空間部ｂをシール材17で閉塞してあるため、防水性に優れるものである。」
　そして、図２、３には、「被嵌合部４の屈曲部９の頂端部側と嵌合部５のカバー部材12との間に、嵌合部５の係止部13とカバー部12との間に形成される空間部ａに連通し、該空間部ａと近似する大きさの間隔で、毛細管現象による雨水の侵入を生じさせない空間が形成され、この空間に続いて被嵌合部４の屈曲部９の頂端部と嵌合部５のカバー部材12との間に第２の空間部ｂが形成されていること。」が記載されていることが当業者に明らかな事項である。
　
　同じく、特開平９−２５６５５７号公報（以下、「引用文献３」という。）には、次の記載がある。
　「【００３３】請求項３の発明では、屋根板Ａを、面板部１の幅方向の一端に内側板２ａを形成し、該内側板２ａの上端より外方下向きの傾斜状に外側板２ｂを形成し、該外側板２ｂの下端より面板部１方向に嵌合端片２ｃを形成して断面略三角山形状の嵌合部２とし、該嵌合部２内には長手方向に沿って弾性シール部材５を装着し、前記面板部１の幅方向他端より外方に凹み状となる被嵌込み部３ａを形成し、該被嵌込み部３ａの上方に適宜に膨らむ膨出屈曲部３ｂを形成して鉤状膨出部３とし、該鉤状膨出部３の外端より固定片４を形成し、前記嵌合部２内には長手方向に沿って弾性シール部材５を装着したものである。
【００３４】即ち、嵌合部２は、内側板２ａ，外側板２ｂ及び嵌合端片２ｃから形成されこれらによって断面略三角山形状として形成し、弾性シール部材５は前記内側板２ａと外側板２ｂとの間に存在し、また、鉤状膨出部３は、被嵌込み部３ａの上方から膨出屈曲部３ｂを適宜に膨らむように形成している。
【００３５】このような構造であるために、隣接する屋根板Ａ，Ａの対向する鉤状膨出部３に嵌合部２を嵌合したときに、嵌合部２内に装着した弾性シール部材５が鉤状膨出部３の膨出屈曲部３ｂに当接する程度の断面積を有するものとすることで、嵌合部２の内側板２ａ，外側板２ｂと鉤状膨出部３の膨出屈曲部３ｂとの間に弾性シール部材５が略密着状となり、極めて高い水密性を確保することができる。」
　そして、図３（Ａ）（Ｂ）には、「鉤状膨出部３の膨出頂片３ｂ２　側の膨出内側片３ｂ１　と嵌合部２の外側板２ｂとの間に毛細管現象による雨水の侵入を生じさせないような隙間が形成され、鉤状膨出部３の膨出頂片３ｂ２と嵌合部２の内側板２ａ，外側板２ｂとの間に弾性シール部材５の装填隙間が形成されていること。」が記載されていることが当業者に明らかな事項である。
　
（３）対比・判断
（３−１）本願の請求項１記載の発明について
　本願の請求項１記載の発明（以下、「本願発明１」という。）と引用文献１記載の発明とを比較すると、引用文献１記載の発明の「一方の側縁部」、「第一係合片３」、「他方の側縁部」、「第二係合片４」、「屋根板１」、「凸条部3a、3c」、「ばね作用」、「凸条部4a、4c」、「略逆Ｕ字状部4bの頂部内面」、及び「略逆Ｕ字状部3bの頂部」は、本願発明１の「一対の側部の一方」、「嵌め合い雄部」、「他方」、「嵌め合い雌部」、「屋根板材」、「顎部」、「撓み戻し」、「段部」、「溝底部」、及び「先端部」に相当するから、両者は、
「向き合った一対の側部の一方に嵌め合い雄部を、他方に嵌め合い雌部を有する屋根板材であり、隣り合わされる屋根板材の一方の嵌め合い雄部を前記嵌め合い雌部に嵌め入れ、隣り合わされる屋根板材の他方の嵌め合い雌部に前記嵌め合い雄部を嵌め入れて、屋根を構成させる屋根板材であって、前記嵌め合い雄部は、前記屋根板材の上方に突き出すように形成されて、この屋根板材の上面に向き合った顎部を有する頭部を備えていると共に、前記嵌め合い雌部は、前記屋根板材の上方に突き出すように折り曲げ形成されて、この屋根板材の下面側から前記嵌め合い雄部の頭部を収め入れる受け入れ溝部を備えており、この受け入れ溝部は、前記嵌め合い雄部の頭部を当該嵌め合い雌部の溝口を撓み広げながら受け入れ、かつ、受け入れられた当該嵌め合い雄部における前記顎部に、前記溝口側の撓み戻しにより接合される段部を備えており、
　前記嵌め合い雄部の頭部と前記嵌め合い雌部の受け入れ溝部とが、当該受け入れ溝部に受け入れられた当該頭部の外面と当該受け入れ溝部の内面との間に、隙間を形成させる構成としてあり、しかも、前記嵌め合い雌部の受け入れ溝部における段部から溝底部までの寸法が、この受け入れ溝部に受け入れられる嵌め合い雄部の頭部の先端部と顎部までの寸法よりも大きく構成してあり、当該受け入れ溝部に受け入れられた嵌め合い雄部の頭部の先端部と当該受け入れ溝部の溝底部との間に、隙間が形成される構成としてある金属製屋根板材。」
である点で実質上一致し、次の点で相違している。
　
　相違点：本願発明１は、嵌め合い雄部の頭部の外面と嵌め合い雌部の受け入れ溝部の内面との間に、少なくとも当該頭部の先端部側において毛細管現象による雨水の侵入を生じさせない大きさの隙間を形成させ、また、受け入れ溝部に受け入れられた嵌め合い雄部の頭部の先端部と当該受け入れ溝部の溝底部との間に形成された隙間をシール材の装填隙間としているのに対して、引用文献１記載の発明は、嵌め合い雄部の頭部の外面と嵌め合い雌部の受け入れ溝部の内面との間に隙間が形成されているが毛細管現象による雨水の侵入を生じさせない大きさであるとは限定されておらず、また、受け入れ溝部に受け入れられた嵌め合い雄部の頭部の先端部と当該受け入れ溝部の溝底部との間に形成された隙間をシール材の装填隙間とするとの限定はされていない点
　
　上記相違点について検討する。
　引用文献２には、金属製縦葺き屋根板において、「被嵌合部４（本願発明１の「嵌め合い雄部」に相当。以下、同様。）の屈曲部９の頂端部（「先端部」）側と嵌合部５（「嵌め合い雌部」）のカバー部材12との間に、嵌合部５（「嵌め合い雌部」）の係止部13とカバー部12との間に形成される空間部ａに連通する該空間部ａと近似する大きさの間隔で、毛細管現象による雨水の侵入を生じさせない空間（「隙間」）が形成され、この空間（「隙間」）に続いて被嵌合部４（「嵌め合い雄部」）の屈曲部９の頂端部（「先端部」）と嵌合部５（「嵌め合い雌部」）のカバー部材12との間に第２の空間部ｂ（「隙間」）が形成され、該第２の空間部ｂ（「隙間」）をシール材17の装填隙間としたこと。」が記載されており、また、引用文献３には、金属製の屋根板において、「鉤状膨出部３（「嵌め合い雄部」）の膨出頂片３ｂ２（「先端部」）側の膨出内側片３ｂ１と嵌合部２（「嵌め合い雌部」）の外側板２ｂとの間に毛細管現象による雨水の侵入を生じさせないような隙間が形成され、鉤状膨出部３（「嵌め合い雄部」）の膨出頂片３ｂ２（「先端部」）と嵌合部２（「嵌め合い雌部」）の内側板２ａ，外側板２ｂとの間に、弾性シール部材５（「シール材」）の装填隙間を形成したこと。」が記載され、これらはいずれも「金属製屋根板材」の分野で周知の技術である。
　そして、上記相違点における本願発明１の事項は、上記引用文献２、３に記載された周知技術と実質的に同じであるから、上記相違点において、引用文献１記載の発明に代え本願発明１のようにすることは、引用文献２、３等に記載された周知技術により、当業者が必要に応じて容易に設計変更できることにすぎない。
　したがって、本願発明１は、引用文献１記載の発明及び引用文献２、３等の周知技術に基いて当業者が容易に発明をすることができたものである。
　　　　　
（３−２）本願の請求項２記載の発明について
　本願の請求項２記載の発明（以下、「本願発明２」という。）の「止着部」は、引用文献１記載の発明の「固定部3d」に相当するから、本願発明２で限定された「嵌め合い雄部（引用文献１記載の発明の「第一係合片３」に相当する。以下、同様。）が設けられている側の屋根板材（「屋根板１」）の側端と当該嵌め合い雄部（「第一係合片３」）との間に、クギ等の止具による止着部（「固定部3d」）が形成してあること」は、引用文献１記載の発明においても具備する構成であり、また、本願発明２のその他の事項は、本願発明１を引用するものであり、これに対する判断は、上記（３−１）でしたとおりである。
　したがって、本願発明２も、引用文献１記載の発明及び引用文献２、３等の周知技術に基いて当業者が容易に発明をすることができたものである。
　
４．むすび
　以上のとおり、本願発明１，２は、引用文献１記載の発明及び引用文献２，３等の周知技術に基いて当業者が容易に発明をすることができたものであるから、特許法第２９条第２項の規定により特許を受けることができない。
　よって、結論のとおり審決する。